(57)【要約】【課題】着用し易い構成でありながら、胸元及びその近傍部分をカバーできると共に、身体にフィットするエプロンを提供する。【解決手段】シート状に形成された本体部１を備えたエプロンＷであって、本体部１の表面側の上下方向の中心よりも上方側の位置に、短辺１ａに平行な山折部３ａが形成され、本体部１の山折部３ａよりも上方側の領域Ｅ１は、その外周縁部に首掛け部２０が形成され、首掛け部２０の内側部分に、首掛け部２０に対して切り離し可能に接続されたフラップ片３０が形成され、首掛け部２０及びフラップ片３０は、本体部１の領域Ｅ１において、山折部３ａのなかの、左右方向の中心よりも長辺寄１ｃ、１ｄ寄りの位置を起点に、それぞれ、上方・外側に向けて延設された一対の斜め切込部１０・１０と、一方の斜め切込部１０の上端部と他方の斜め切込部１０の上端部とを繋ぐ切断部１１とにより分割されている。【選択図】図１
2020147855.tif 000002
【特許請求の範囲】
【請求項１】
シート状に形成された本体部を備えたエプロンであって、
前記本体部は、表裏面を有すると共に、上下方向の両側に一対の短辺が形成され、左右方向の両側に一対の長辺が形成され、
前記本体部の表面側の上下方向の中心よりも所定寸法上方側の位置に、前記短辺に対して平行な山折部が形成され、
前記本体部の前記山折部よりも上方側の領域は、その外周縁部に首掛け部が形成され、該首掛け部の内側部分に、該首掛け部に対して切り離し可能に接続されたフラップ片が形成され、
前記首掛け部及び前記フラップ片は、前記本体部の山折部よりも上方側の領域において、前記山折部のなかの、左右方向の中心よりも前記長辺寄りの位置を起点に、それぞれ、上方・外側に向けて延設された一対の斜め切込部と、一方の前記斜め切込部の上端部と他方の前記斜め切込部の上端部とを繋ぐ破線状のスリットで形成された切断部とにより分割されており、
前記本体部は、前記切断部が切り離されると、前記斜め切込部及び前記切断部の外側の領域が前記首掛け部になると共に、前記斜め切込部及び前記切断部の内側の領域にユーザの頭部を通すための開口部と、前記山折部を基端にして前記開口部を開閉可能な前記フラップ片とが形成されるようになっていることを特徴とするエプロン。
【請求項２】
前記本体部の裏面をユーザに相対向させ、前記開口部に、ユーザが頭部を通して前記首掛け部がユーザの首に掛けられると、前記開口部がユーザの首元から胸元に配置されると共に、前記フラップ片が前記山折部を基端にユーザ側に折れ曲がり、前記フラップ片の自由端側の両側部が前記首掛け部の裏側に挿入されると、該フラップ片が前記首掛け部に対して交差した状態で係止され、該フラップ片がユーザの首元から胸元に配置される前記開口部を覆うようになっていることを特徴とする請求項１に記載のエプロン。
【請求項３】
前記山折部、一対の前記斜め切込部及び前記切断部を繋ぐと略逆台形状に形成されていることを特徴とする請求項１又は２に記載のエプロン。
【請求項４】
前記フラップ片は、該フラップ片の上下方向の中間部よりも上方の位置に前記短辺と平行な谷折部が形成されており、
前記首掛け部の裏面に、前記フラップ片の自由端側を挿入すると、前記谷折部により、前記フラップの自由端側が前記首掛け部の裏面に向けて付勢されるようになっていることを特徴とする請求項１〜３のいずれかに記載のエプロン。
【請求項５】
前記フラップ片の上端部に形成される上辺部は、その中心部に凹部が形成され、
前記フラップ片は、前記凹部の左右方向の中心の位置から下方に向けて延びる上下スリットが形成されていることを特徴とする請求項１〜４のいずれかに記載のエプロン。
【請求項６】
前記エプロンは、折り畳んで持ち運び可能な折畳み状態にできるようになっていることを特徴とする請求項１〜５のいずれかに記載のエプロン。
【請求項７】
前記エプロンは、前記本体部を前記上下方向に３つ折りにすると共に、前記３つ折りにしたものを前記上下方向に半分に折り、その後、前記左右方向に蛇腹折りにすることにより略矩形状に折り畳まれた前記折畳状態になり、
前記折畳状態の本体部を広げると、該本体部に左右方向の折目と、上下方向の折目とが等間隔で形成され、該折目により該本体部に矩形のマス目が形成されるようになっていることを特徴とする請求項１〜６のいずれかに記載のエプロン。
【請求項８】
前記斜め切込部は、前記山折部に対して、略５０〜６０度の角度で、上方・外側に向けて延びていることを特徴とする請求項１〜７のいずれかに記載のエプロン。
【請求項９】
前記本体部は、ストーンペーパ、紙、及び不識布のいずれかで形成されていることを特徴とする請求項１〜８のいずれかに記載のエプロン。
【請求項１０】
シート状に形成された本体部を備えたエプロンであって、
前記本体部は、表裏面を有すると共に、上下方向の両側に一対の短辺が形成され、左右方向の両側に一対の長辺が形成され、
前記本体部の表面側の上下方向の中心よりも所定寸法上方側の位置に、前記短辺に対して平行な山折部が形成され、
前記本体部の前記山折部よりも上方側の領域には、その外周縁部に略コの字状の首掛け部が形成され、前記首掛け部の内側部分が開口部になっていると共に、前記山折部を基端にして、前記開口部を開閉可能なフラップ片が形成され、
前記首掛け部及び前記フラップ片は、前記本体部の山折部よりも上方側の領域において、前記山折部のなかの、左右方向の中心よりも前記長辺寄りの位置を起点として、それぞれ、上方・外側に向けて延設された一対の斜め切込部と、一方の前記斜め切込部の上端部と他方の前記斜め切込部の上端部とを繋ぐスリットにより分割されており、
前記本体部の裏面をユーザに相対向させ、前記開口部に、ユーザが頭部を通して前記首掛け部がユーザの首に掛けられると、前記開口部がユーザの首元から胸元に配置されると共に、前記フラップ片が前記山折部を基端にユーザ側に折れ曲がり、前記フラップ片の自由端側の両側部が前記首掛け部の裏側に挿入されると、該フラップ片が前記首掛け部に対して交差した状態で係止され、該フラップ片がユーザの首元から胸元に配置される前記開口部を覆うようになっていることを特徴とするエプロン。
【発明の詳細な説明】
【技術分野】
【０００１】
本発明は、エプロンに関し、例えば、飲食店、医療施設、介護施設等の施設で利用される簡易型のエプロンに関する。
【背景技術】
【０００２】
飲食店、医療施設、介護施設等の施設において、食事や調理の際に衣服等が汚れないように、施設の利用者が使い捨ての簡易型のエプロンを着用することがある。このようなエプロンは、紙や不織布で形成され、ユーザの頭部を通すための開口部（孔）が設けられているタイプのものが知られており、例えば、このタイプのエプロンが特許文献１に開示されている。
【０００３】
特許文献１に記載されたエプロン１００は、図１１に示すように、シート状をなし、その上部が半円形状に形成され、その半円形状の中心より下方位置に円形の開口部（丸形孔）１０３が設けられ、この開口部１０３の外側部分が首掛け部１０５になっている。利用者は、開口部１０３に頭部を通して、首掛け部１０５を首に掛けることで、エプロン１００を着用できるようになっている。
【０００４】
また、本願の出願人により、上記のようなエプロン（簡易型のエプロン）を持ち運びし易い構成にしたものが発明され、その発明が特許出願され公開されている（特許文献２）。特許文献２に記載のエプロンは、折り畳み可能なエプロン本体と、折り畳まれた状態のエプロン本体を収容する包装体と、包装体とエプロン本体の一部を接着する接着部とを備えている。以下、特許文献２に記載のエプロンを構成するエプロン本体について、図１２を参照しながら説明する。
【０００５】
図１２（ａ）に示すように、エプロン本体２００は、折り畳み可能な長方形のシート状に形成されている。また、エプロン本体２００は、上方側の部分に、コの字型に延設されている破線状のスリットで形成された切断部２０１が形成されている。
エプロン本体２００は、切断部２０１を切り離して切断部２０１の内側部２０２を前面側に折り曲げると、図１２（ｂ）に示すように、切断部２０１の内側部分に四角形の開口部２０３が形成されると共に、切断部２０１の外側部分にコの字状の首掛け部２０５が形成される。
利用者は、エプロン本体２００に形成された四角形の開口部２０３に頭部を通して、コの字状の首掛け部２０５を首に掛けることで、エプロン本体２００を着用できるようになっている。
【先行技術文献】
【特許文献】
【０００６】
【特許文献１】実開平５−９４２１７号公報
【特許文献２】ＷО２０１９−０２１４１９号公報
【発明の概要】
【発明が解決しようとする課題】
【０００７】
ところで、上述した特許文献１、２に記載されているような、利用者の頭部を通す開口部が形成されているエプロン（簡易型のエプロン）は、一般的に、開口部が狭いものが多く、頭部を通しづらく着用がしにくいという課題を有している。特に、髪の毛を結んでいる利用者は、上記のようなエプロンの開口部に頭部を通すのが面倒であり、髪形によっては開口部に頭が通らず、着用できないケースも生じている。
一方、上記のエプロンにおいて、開口部の面積を大きく形成すれば、頭部を通し易くなり、着用がしにくいという課題が解消される。しかし、開口部の面積を大きくした場合、首掛け部を首に掛けた際に、首元から胸元に至る部分がエプロンで覆われずに露出してしまい（露出する部分が大きくなってしまい）、露出している部分（例えば、服の襟元部や胸元部等）を汚し、エプロン本来の機能を果たせない虞があるという別の課題が生じる。
なお、上記のようなエプロン（簡易型のエプロン）には、紐状の首掛け部を設けたタイプのものもあり、このタイプであれば、開口部に頭部を通す必要がなく、髪形に関係無く着用することができる。しかし、簡易型のエプロンは、紙や不織布で形成されているため、紐状の首掛け部が結び辛く、着用がしにくいという課題が解消されていない。
【０００８】
さらに、上述した特許文献１、２に記載されている、腰紐がないタイプのエプロン（簡易型のエプロン）は、首掛け部を首に掛けているだけであるため、利用者の身体にフィットしないという課題も有している。
【０００９】
本発明は、上記課題に鑑みてなされたものであって、その目的は、着用し易い構成でありながら、胸元及びその近傍部分をカバーできると共に、身体にフィットするエプロンを提供することにある。
【００１０】
上記技術的課題を解決するための本発明は、シート状に形成された本体部を備えたエプロンであって、前記本体部は、表裏面を有すると共に、上下方向の両側に一対の短辺が形成され、左右方向の両側に一対の長辺が形成され、前記本体部の表面側の上下方向の中心よりも所定寸法上方側の位置に、前記短辺に対して平行な山折部が形成され、前記本体部の前記山折部よりも上方側の領域は、その外周縁部に首掛け部が形成され、該首掛け部の内側部分に、該首掛け部に対して切り離し可能に接続されたフラップ片が形成され、前記首掛け部及び前記フラップ片は、前記本体部の山折部よりも上方側の領域において、前記山折部のなかの、左右方向の中心よりも前記長辺寄りの位置を起点に、それぞれ、上方・外側に向けて延設された一対の斜め切込部と、一方の前記斜め切込部の上端部と他方の前記斜め切込部の上端部とを繋ぐ破線状のスリットで形成された切断部とにより分割されており、前記本体部は、前記切断部が切り離されると、前記斜め切込部及び前記切断部の外側の領域が前記首掛け部になると共に、前記斜め切込部及び前記切断部の内側の領域にユーザの頭部を通すための開口部と、前記山折部を基端にして前記開口部を開閉可能な前記フラップ片とが形成されるようになっていることを特徴とする。
【００１１】
本発明の構成によれば、ユーザの頭部を通す開口部が大きくなるように、斜め切込部及び切断部を形成しても、その開口部をフラップ片で覆う（塞ぐ）ことができる。また、本発明のエプロンは、裏面側をユーザと相対向させて着用されるようになっている。そのため、本発明のエプロンは、斜め切込部及び山折部を設けたことにより、ユーザが当該エプロンを着用する際に、フラップ片がユーザ側に折れ曲がってくるため、エプロンを着用するユーザに対して、フラップ片を用いて開口部を覆うように着用することを促すことができる。すなわち、本発明は、開口部の面積を大きく形成して着用し易い構成を採用可能でありながら、胸元及びその近傍部分に配置される開口部を覆うことができる。
また、本発明のエプロンは、「山折部」及び「一対の斜め切込部」を設けたことで、腰紐等が無いシート状に形成されたエプロンでありながら、立体的な形状に構成され、ユーザの身体にフィットさせることができる。
【００１２】
また、前記本体部の裏面をユーザに相対向させ、前記開口部に、ユーザが頭部を通して前記首掛け部がユーザの首に掛けられると、前記開口部がユーザの首元から胸元に配置されると共に、前記フラップ片が前記山折部を基端にユーザ側に折れ曲がり、前記フラップ片の自由端側の両側部が前記首掛け部の裏側に挿入されると、該フラップ片が前記首掛け部に対して交差した状態で係止され、該フラップ片がユーザの首元から胸元に配置される前記開口部を覆うようになっていることが望ましい。
【００１３】
本発明の構成（特に、「山折部」及び「一対の斜め切込部」）によれば、首掛け部がユーザの首に掛けられると、エプロンが重力により下方向の荷重を受けるため、首掛け部の上方側は、首に掛けられる前の状態と比べて、その左右方向の寸法が狭まって配置される。そのため、フラップ片の自由端側の両側を首掛け部・上方側の裏側に挿入し配置すると、フラップ片が首掛け部に対して交差した状態でしっかりと係止され、フラップ片により開口部が覆われた状態が維持される。その結果、ユーザの胸元及びその近傍が、しっかりとカバーでき、例えば、飲食する際に用いられた場合に、ユーザの胸元及びその近傍が汚れることを防止できる。
【００１４】
また、前記山折部、一対の前記斜め切込部及び前記切断部を繋ぐと略逆台形状に形成されていることが望ましい。
【００１５】
このように略逆台形状にすることで、略コの字状の首掛け部の下側部分の幅寸法を、上方側部分の幅寸法と比べて大きくすることができ、これにより、首掛け部がよれにくくなり、着心地がよくなる（着用性が向上する）。また、この形状にすることで、開口部の上方側の幅寸法が大きくなるため、ユーザが頭部を通し易くなる。
また、略逆台形状にすることで、ユーザの首に首掛け部を掛け、フラップ片の自由端側を首掛け部の裏側に挿入した場合に、フラップ片と、首掛け部とが交差する領域が大きくなるため、フラップ片が首掛け部の裏側に挿入し係止し易いと共に、一旦、係止した後にフラップ片が外れにくくなる。
【００１６】
また、前記フラップ片は、該フラップ片の上下方向の中間部よりも上方の位置に前記短辺と平行な谷折部が形成されており、前記首掛け部の裏面に、前記フラップ片の自由端側を挿入すると、前記谷折部により、前記フラップの自由端側が前記首掛け部の裏面に向けて付勢されるようになっていることが望ましい。
このように、本発明では、首掛け部の裏面に向けて、フラップ片の自由端側が付勢された状態になるため、フラップ片が首掛け部に安定した状態で係止されるようになる。
【００１７】
また、前記フラップ片の上端部に形成される上辺部は、その中心部に凹部が形成され、前記フラップ片は、前記凹部の左右方向の中心の位置から下方に向けて延びる上下スリットが形成されていることが望ましい。
このように、フラップ片の上端部に形成される上辺部に凹部を設け、その中心位置に下方に向けて延びる上下スリットを形成したことで、ネクタイをしているユーザがエプロンを着用している場合に、当該エプロンにより、ネクタイの結び目部分が締め付けられることがなく、快適に着用できる。すなわち、本発明のエプロンは、ユーザの首元の近傍をカバーする構成になっていながら、ネクタイをしているユーザが、首元が苦しくなることなく快適に着用できる。
【００１８】
また、前記エプロンは、折り畳んで持ち運び可能な折畳み状態にできるようになっていることが望ましい。
また、前記エプロンは、前記本体部を前記上下方向に３つ折りにすると共に、前記３つ折りにしたものを前記上下方向に半分に折り、その後、前記左右方向に蛇腹折りにすることにより略矩形状に折り畳まれた前記折畳状態になり、前記折畳状態の本体部を広げると、該本体部に左右方向の折目と、上下方向の折目とが等間隔で形成され、該折目により該本体部に矩形のマス目が形成されるようになっていることが望ましい。
【００１９】
このように、本発明のエプロンは、持ち運び可能な折畳み状態にできるようになっている。そのため、本発明のエプロンは、折畳み状態にしたものをポケットに入れ、或いは袋に入れて携帯することができる。また、本発明のエプロンは、折畳み状態にできるため、折り畳み状態にした、複数のエプロンを箱に収容して、複数のエプロンをコンパクトにまとめて持ち運ぶこともできる。或いは、折り畳み状態にした、複数のエプロンを箱に収容して、飲食店等の施設に当該箱を置いておき、ユーザが当該箱からエプロンを自由に取り出して使用できるようにしておくこともできる。
また、本発明のエプロンは、使用する前には、コンパクトな状態に形成できるため、店舗等の施設において、省スペースで収容することができる。また、本実施形態では、折り畳む工程において、蛇腹折りをしているため、内部の空気が抜けて、よりコンパクトに折り畳める。
また、本発明では、エプロン本体に矩形のマス目が形成されている。このように構成することで、エプロンが立体形状になるため、ユーザがエプロンを着用したときにより身体にフィットする。
【００２０】
また、前記斜め切込部は、前記山折部に対して、略５０〜６０度の角度で、上方・外側に向けて延びていることが望ましい。
また、前記本体部は、ストーンペーパ、紙、及び不識布のいずれかで形成されていることが望ましい。
【００２１】
また、本発明は、シート状に形成された本体部を備えたエプロンであって、前記本体部は、表裏面を有すると共に、上下方向の両側に一対の短辺が形成され、左右方向の両側に一対の長辺が形成され、前記本体部の表面側の上下方向の中心よりも所定寸法上方側の位置に、前記短辺に対して平行な山折部が形成され、前記本体部の前記山折部よりも上方側の領域には、その外周縁部に略コの字状の首掛け部が形成され、前記首掛け部の内側部分が開口部になっていると共に、前記山折部を基端にして、前記開口部を開閉可能なフラップ片が形成され、前記首掛け部及び前記フラップ片は、前記本体部の山折部よりも上方側の領域において、前記山折部のなかの、左右方向の中心よりも前記長辺寄りの位置を起点として、それぞれ、上方・外側に向けて延設された一対の斜め切込部と、一方の前記斜め切込部の上端部と他方の前記斜め切込部の上端部とを繋ぐスリットにより分割されており、前記本体部の裏面をユーザに相対向させ、前記開口部に、ユーザが頭部を通して前記首掛け部がユーザの首に掛けられると、前記開口部がユーザの首元から胸元に配置されると共に、前記フラップ片が前記山折部を基端にユーザ側に折れ曲がり、前記フラップ片の自由端側の両側部が前記首掛け部の裏側に挿入されると、該フラップ片が前記首掛け部に対して交差した状態で係止され、該フラップ片がユーザの首元から胸元に配置される前記開口部を覆うようになっていることを特徴とする。
【発明の効果】
【００２２】
本発明によれば、着用し易い構成でありながら、胸元及びその近傍部分をカバーできると共に、身体にフィットするエプロンを提供することができる。
【図面の簡単な説明】
【００２３】
【図１】本発明の実施形態のエプロンを表面から見た模式図である。
【図２】本発明の実施形態のエプロンの上方側を拡大して示した模式図である。
【図３】本発明の実施形態のエプロンの切断部を切り離した状態を説明するための模式図であり、開口部を全開にした状態を表面から見た模式図である。
【図４】本発明の実施形態のエプロンの切断部を切り離した状態を説明するための模式図であり、切断部を切り離してフラップ片を首掛け部から離間させた状態を側面から見た模式図である。
【図５】本発明の実施形態のエプロンの折り畳み手順を説明するための模式図である。
【図６】本発明の実施形態のエプロンの上下方向の山折部及び谷折部の構成を説明するための模式図である。
【図７】本発明の実施形態のエプロンの着用方法を説明するための模式図である。
【図８】本発明の実施形態のエプロンの着用方法を説明するための模式図である。
【図９】本発明の実施形態のエプロンを着用した状態を示した模式図である。
【図１０】本発明の実施形態のエプロンを着用した状態を示した模式図である。
【図１１】従来技術の簡易型のエプロンを示した模式図である。
【図１２】従来技術の簡易型のエプロンを示した模式図であり、（ａ）が切断部を切り離す前の状態示した模式図であり、（ｂ）が切断部を切り離した状態を示した模式図である。
【発明を実施するための形態】
【００２４】
以下、本発明の実施形態のエプロンについて図面を用いて説明する。
先ず、本実施形態のエプロンの構成について図１〜４を参照しながら説明する。
【００２５】
《エプロンＷの構成について》
ここで、図１は、本実施形態のエプロンを表面から見た模式図である。図２は、本実施形態のエプロンの上方側を拡大して示した模式図である。図３は、本実施形態のエプロンの切断部を切り離した状態を説明するための模式図であり、開口部を全開にした状態を表面から見た模式図である。図４は、本実施形態のエプロンの切断部を切り離した状態を説明するための模式図であり、切断部を切り離してフラップ片を首掛け部から離間させた状態を側面から見た模式図である。
【００２６】
図１に示すように、本実施形態のエプロンＷは、略長方形のシート状に形成された本体部１を備えている。この本体部１は、表裏面を有すると共に、上下方向（長手方向）の両側に一対の短辺１ａ、１ｂが形成され、左右方向（短手方向）の両側に一対の長辺１ｃ、１ｄが形成されている。また、本実施形態のエプロンＷは、ストーンペーパで形成されている。
なお、本明細書中の略長方形には、角丸長方形や、台形、逆台形等の形状も含まれているものとする。
【００２７】
また、エプロンＷは、上下方向の寸法が「Ｙ（ｍｍ）」であり、左右方向の寸法が「Ｘ（ｍｍ）」に形成されている。なお、エプロンＷは、例えば、Ｙが５５０〜６００ｍｍ前後の寸法、Ｘが３８０〜４５０ｍｍ前後の寸法で形成されている。
なお、以下では説明の便宜上、「Ｙ＝１１Ｌ（ｍｍ）」、「Ｘ＝８Ｌ（ｍｍ）」とする。
【００２８】
上記の本体部１は、表面側の上下方向の中心よりも所定寸法上方側の位置に、短辺１a、１ｂに対して平行な山折部３aが形成されている。図示する例では、山折部３aは、上方の短辺１aから「４Ｌ（ｍｍ）」の寸法分下方の位置に形成されている。
【００２９】
また、本体部１の表面側には、短辺１aから「６Ｌ（ｍｍ）」の寸法分下方の位置にも、短辺１a、１ｂに対して平行な山折部３ｂが形成され、短辺１ａから「８Ｌ（ｍｍ）」の寸法分下方の位置にも、短辺１a、１ｂに対して平行な山折部３ｃが形成されている。また、本体部１の表面側には、上方の短辺１aから「２Ｌ（ｍｍ）」の寸法分下方の位置に、短辺１a、１ｂに対して平行な谷折部４aが形成され、下方の短辺１ｂから「Ｌ（ｍｍ）」の寸法分上方の位置に、短辺１a、１ｂに対して平行な谷折部４ｂが形成されている。
さらに、本実施形態のエプロンＷは、左右方向の折目（山折部３ａ、３ｂ、３ｃ、谷折部４ａ、４ｂ）に加えて、上下方向にも所定間隔で折目が形成されており、これにより矩形のマス目が形成されて、本体部１が立体的形状を形成できるようになっている。なお、エプロンＷの立体的形状についての説明は後段で行う。
【００３０】
また、図１、２に示すように、本体部１の山折部３aよりも上方側の領域Ｅ１には、その外周縁部に略コの字状の首掛け部２０が形成され、首掛け部２０の内側部分に、首掛け部２０に対して切り離し可能に接続されたフラップ片３０（略逆台形状のフラップ片３０）が形成されている。
【００３１】
上記の首掛け部２０及びフラップ片３０は、本体部１の山折部３aよりも上方側の領域Ｅ１において、山折部３aのなかの、左右方向の中心よりも長辺１ｃ、１ｄ寄りの位置を起点として、それぞれ、上方・外側に向けて延設された「一対の斜め切込部１０・１０」と、「一方の斜め切込部１０の上端部と他方の斜め切込部１０の上端部とを繋ぐ破線状のスリットで形成された切断部１１」とにより区分け（分割）されている。
【００３２】
また、本実施形態では、「山折部３ａ」、「一対の斜め切込部１０・１０」及び「切断部１１」を繋ぐと略逆台形状になるように形成されている。
以下、首掛け部２０及びフラップ片３０を形成するために設けた斜め切込部１０・１０と、切断部１１の構成について詳細に説明する。
【００３３】
斜め切込部１０・１０は、図２に示すように、山折部３aから上方・外側に向けて「θ度」の角度をなして形成されている。なお、山折部３aを起点に形成されている斜め切込部１０・１０の一端部（起点部）には、小径（例えば、直径１〜２ｍｍ程度）の円孔１０a（図２参照）が形成されている。
上記の「θ度」について特に限定されるものではないが、例えば、「θ度」を「５０〜６０度」の値にすると良い。この値にすると、後述するように切断部１１を切り離して、ユーザの首に首掛け部２０を掛け、首掛け部２０の裏面に、フラップ片３０の自由端側（上方側）を挿入したときに、フラップ片３０と、首掛け部２０とが交差する領域が大きくなる。
なお、斜め切込部１０・１０の長さ寸法については特に限定されるものではないが、例えば、「３０ｍｍ前後」の長さ寸法に形成される。
【００３４】
切断部１１は、図２に示すように、「一方の斜め切込部１０」の上端部から上方側・左角部近傍の第１の位置（長辺１ｃ及び短辺１ａの近傍の第1の位置）まで上方・外側に向けて斜めに延びる第1斜辺部１１ａと、第1の位置で他方の長辺１ｄに向けて円弧状に屈曲して延びる第１ラウンド部１１ｂとを有している。
また、切断部１１は、第１ラウンド部１１ｂの端部から上方側・右角部近傍の第２の位置（長辺１ｄ及び短辺１ａの近傍の第２の位置）まで短辺１ａと略平行方向に延びる水平辺部１１ｃと、第２位置で下方に向けて円弧状に屈曲して延びる第２ラウンド部１１ｄと、第２ラウンド部１１ｄの端部から「他方の斜め切込部１０」の上端部まで下方・内側に向けて斜めに延びる第２斜辺部１１eとを有している。
なお、第1斜辺部１１ａと、第２斜辺部１１eは、左右方向の中心線に対して線対称になっていると共に、山折部３aに対して、斜め切込部１０の角度である「θ度」よりも大きい角度（例えば、７０度）で傾斜している。
【００３５】
また、上記の切断部１１には、断続的に、首掛け部２０及びフラップ片３０を接続している接続部１２a、１２ｂ、１２ｃ、１２ｄ、１２e、１２ｆ、１２ｇ、１２ｈ、１２ｉ、１２ｊ、１２ｋが設けられている。なお、切断部１１は、接続部１２a、１２ｂ、１２ｃ、１２ｄ、１２e、１２ｆ、１２ｇ、１２ｈ、１２ｉ、１２ｊ、１２ｋ以外の部分が、切り込まれたスリットになっている。そして、この接続部１２a、１２ｂ、１２ｃ、１２ｄ、１２e、１２ｆ、１２ｇ、１２ｈ、１２ｉ、１２ｊ、１２ｋを切断することで、首掛け部２０からフラップ片３０が切り離なされるようになっている。
なお、本実施形態では、切断部１１は、断続的に、接続部１２a、１２ｂ、１２ｃ、１２ｄ、１２e、１２ｆ、１２ｇ、１２ｈ、１２ｉ、１２ｊ、１２ｋが設けられているが、この構成に限定されるものではない。本実施形態の切断部１１には、等間隔でスリットが形成されているミシン目も含まれている。
次に、エプロンＷの切断部１１が切り離された状態について説明する。
【００３６】
具体的には、本体部１は、切断部１１が切り離されると、図３、４に示すように、斜め切込部１０・１０及び切断部１１の外側の領域が略コの字状の首掛け部２０（図３参照）になると共に、斜め切込部１０・１０及び切断部１１の内側の領域にユーザの頭部を通すための開口部２１と、山折部３ａを基端にして開口部２１を開閉可能で且つ裏面に向けて折れ曲がる（開口部２１を塞ぐ方向に折れ曲がる）フラップ片３０（図４参照）とが形成される。
【００３７】
上記の切断部１１を切り離すことにより形成される開口部２１と、開口部２１を開閉可能なフラップ片３０は、いずれも、略逆台形状に形成されている。
また、切断部１１を切り離して形成したフラップ片３０は、山折部３ａにより、開口部２１を塞ぐ方向に折れ曲がっている。
また、フラップ片３０は、フラップ片の上下方向の中間部よりも所定寸法・上方側の部分が谷折部４ａにより屈曲しており（短辺１ａに平行な谷折りがされており）、フラップ片３０の上方側の部分が、谷折部４ａを介して前方に傾斜している。フラップ片３０は、例えば、上方側の３０〜４０％程度の領域が前方に折れ曲がっている。
そして、略逆台形状のフラップ片３０の構成によれば、ユーザの首に首掛け部２０を掛け、フラップ片３０の自由端側（上端側）の両側部を首掛け部２０の裏側に挿入した場合に、フラップ片３０と、首掛け部２０とが交差した状態で係止されるようになる。
【００３８】
なお、図３では、開口部２１の全体形状を示すために、フラップ片３０の谷折部４ａよりも下方側の領域が首掛け部２０に対して略垂直に立設し、フラップ片３０の谷折部４ａよりも上方側の領域が首掛け部２０に対して略平行に屈曲している状態を示している。
また、図４では、フラップ片３０が、山折部３ａを基端にして、裏面に向けて折れ曲がっている（開口部２１を塞ぐ方向に折れ曲がっている）状態を説明するために、本体部１を側面から見た模式図を示している。
【００３９】
このように、本実施形態では、「山折部３ａ」、「一対の斜め切込部１０・１０」及び「切断部１１」を繋いだ形状を略逆台形状にすることで、切断部１１が切り離されて形成される首掛け部２０の下側部分の幅寸法を、上方側部分の幅寸法と比べて徐々に大きくなるように形成することができる（図３参照）。例えば、首掛け部２０の下端部の幅寸法を「８００ｍｍ前後の寸法」にし、首掛け部２０の上端部側に形成される最短幅の部分の寸法を「２００ｍｍ前後の寸法」にすることができる。
これにより、ユーザの首に、首掛け部２０が掛けられたときに、首掛け部２０がよれにくくなり、着用性が向上する。また、この形状にすることで、切断部１１が切り離されて形成された開口部２１は、その上方側の幅寸法が大きくなるため、開口部３１に対してユーザが頭部を通し易くなる。
【００４０】
また、「一対の斜め切込部１０・１０」を設け、且つ略逆台形状のフラップ片３０を設けることで、ユーザの首に首掛け部２０を掛け、首掛け部２０の裏面に、フラップ片３０の自由端側（上方側）の両側部を挿入して配置した場合に、フラップ片３０と、首掛け部２０とが交差する領域を大きくできる。そのため、簡単に、フラップ片３０を首掛け部２０の裏側に挿入し係止させることができる。また、この形状にすることで、一旦、フラップ片３０を首掛け部２０の裏側に挿入し係止した後にフラップ片３０が外れにくくなる。
また、フラップ片３０は、その上方側の部分が、谷折部４ａを介して前方に傾斜している。この構成によれば、ユーザの首に首掛け部２０を掛け、首掛け部２０の裏面に、フラップ片３０の自由端側（上方側）を挿入すると、谷折部４ａにより、首掛け部２０の裏面に向けて、フラップ片３０の自由端側（上方側）が付勢された状態になるため、フラップ片３０が首掛け部２０に安定した状態で係止される。
【００４１】
また、切断部１１に円弧状の第１ラウンド部１１ｂ及び第２ラウンド部１１ｄを設けることにより、切断部１１が切り離されて形成される首掛け部２０の上方・内側の角部（ユーザの首に掛けられる部分）を半円弧形状にすることができる。この構成によれば、エプロンWがユーザに着用されたときに、首掛け部２０の上方・内側の角部に係る荷重が分散され、エプロンＷを着用している最中に、首掛け部２０が切れる可能性が軽減される。
【００４２】
さらに、上記の切断部１１の水平辺部１１ｃは、図２に示すように、左右方向の中心の位置で円弧状に凹んだ凹部１１ｃ１が形成されている。
この構成により、切断部１１を切り離した場合に、略逆台形状のフラップ片３０の上端部に形成される上辺部３１の中心部にも凹部３１ａ（図３参照）が形成される。
また、フラップ片３０は、凹部３１ａの左右方向の中心の位置から下方に向けて延びる上下スリット３２が形成されている（例えば、４〜５ｍｍ程度の上下スリット３２が形成されている）。また、上下スリット３２の一端部には、小径（例えば、直径１〜２ｍｍ程度）の円形の丸孔３２aが形成されている。
【００４３】
なお、フラップ片３０には、上下スリット３２の一端部に形成されている孔３２aから、凹部３１ａの左右の両外側の部分に向けて略V字状の山折部３３が形成されている。
このように、フラップ片３０の上部に凹部３１ａを設け、その左右方向の中心位置に下方に向けて延びる上下スリット３２を形成すると共に、山折部３３を設けたのは、ネクタイをしているユーザがエプロンWを着用する場合に、エプロンＷにより、ネクタイの結び目部分が締め付けられることがないようにするためである。
【００４４】
《エプロンＷの折り畳み方法》
次に、本実施形態のエプロンＷを折り畳み手順及び折り畳まれた状態について図５を参照しながら説明する。
【００４５】
ここで、図５は、本実施形態のエプロンを折り畳む手順を説明するための模式図であり、（a）が広げられた状態のエプロンを示した模式図であり、（ｂ）がエプロンを３つ折りした状態を示した模式図であり、（ｃ）が３つ折りした状態のエプロンをさらに2つに折った帯状態を示した模式図であり、（ｄ）が帯状態のエプロンを蛇腹折りしている状態を示した模式図であり、（e）がエプロンを略正方形状に折り畳んだ折り畳み状態を示した模式図である。
【００４６】
図示するように、本実施形態のエプロンＷを折り畳む場合、先ず、図５（ａ）、（ｂ）に示すように、本体部１の表面側に左右方向に延びる２つの山折部３ａ、３ｃが形成されるように、本体部１を上下方向に３つ折りにした状態（図５（ｂ）に示す状態）にする。
【００４７】
次に、図５（ｂ）に示す３つ折りした状態の本体部１を上下方向に半分に折り曲げて（谷折りで折り曲げて）２つ折りにして、図５（ｃ）に示す帯状態にする。
この帯状態にすることにより、本体部１を広げた状態にしたとき（図１に示す状態にしたときに）、本体部１の左右方向に、山折部３ａ、３ｃに加えて、さらに、山折部３ｂ、谷折部４ａ、４ｂが形成される。
【００４８】
最後に、図５（ｃ）に示す帯状体にした本体部１を左右方向に蛇腹折りにし（図５（ｄ）参照）、図５（ｅ）に示す略正方形状に折り畳まれた折畳み状態にする。この折畳み状態にすることにより、本体部１の上下方向に所定間隔で折目が形成される。
【００４９】
このように、本実施形態のエプロンＷは、使用する前には、図５（ｅ）に示すようにコンパクトな状態（折畳み状態）に形成できるため、店舗等の施設において、省スペースで収容することができる。
また、本実施形態では、折り畳む際の最後の工程において、蛇腹折りをしているため、内部の空気が抜けて、よりコンパクトに折り畳める。
また、本実施形態のエプロンＷは、コンパクトな折畳み状態にできるため、邪魔にならずに簡単に持ち運ぶことができる。例えば、本実施形態のエプロンＷは、折畳み状態にしてポケットに入れて持ち運ぶこともできる。また、例えば、本実施形態のエプロンＷは、折畳み状態にしたものを袋に入れて携帯することもできる。
また、本実施形態のエプロンＷは、折畳み状態にできるため、折り畳み状態にした、複数のエプロンＷを箱に収容して、複数のエプロンＷをコンパクトにまとめて持ち運ぶこともできる。或いは、折畳み状態にした、複数のエプロンＷを箱に収容して、飲食店等の施設に当該箱を置いておき、ユーザが当該箱からエプロンＷを自由に取り出して使用できるようにしておくこともできる。
【００５０】
《エプロンＷの立体形状について》
次に、エプロンＷを広げたときの立体形状について、上述した図５と、図６を参照しながら説明する。
ここで、図６は、本実施形態のエプロンの上下方向の山折部及び谷折部を説明するための模式図である。
【００５１】
図５（ｅ）に示す折畳み状態の本体部１を広げると、図６に示すように、本体部１の左右方向の折目（山折部３ａ、３ｂ、３ｃ、谷折部４ａ、４ｂ）に加えて、本体部１の上下方向に所定間隔で折目ができて、本体部１に複数の矩形のマス目が形成される。
【００５２】
具体的には、図６に示す広げられた状態の本体部１には、６行・４列の矩形状のマス目が形成されている。
そして、本体部１の上方から１行目には、長辺１ｃ、１ｄと平行に上下方向に延びる３つの折目（谷折部６ａ、山折部５ａ、谷折部６ｂ）が等間隔（２Ｌ（ｍｍ）の間隔）で、且つ上下方向に「２Ｌ（ｍｍ）」の寸法で形成されている。
【００５３】
また、本体部１の上方から２行目には、長辺１ｃ、１ｄと平行に上下方向に延びる３つの折目（山折部５ｂ、谷折部６ｃ、山折部５ｃ）が等間隔（２Ｌ（ｍｍ）の間隔）で、且つ上下方向に「２Ｌ（ｍｍ）」の寸法で形成されている。
また、本体部１の上方から３行目には、長辺１ｃ、１ｄと平行に上下方向に延びる３つの折目（谷折部６ｄ、山折部５ｄ、谷折部６ｅ）が等間隔（２Ｌ（ｍｍ）の間隔）で、且つ上下方向に「２Ｌ（ｍｍ）」の寸法で形成されている。
また、本体部１の上方から４行目には、長辺１ｃ、１ｄと平行に上下方向に延びる３つの折目（山折部５ｅ、谷折部６ｆ、山折部５ｆ）が等間隔（２Ｌ（ｍｍ）の間隔）で、且つ上下方向に「２Ｌ（ｍｍ）」の寸法で形成されている。
【００５４】
また、本体部１の上方から５行目には、長辺１ｃ、１ｄと平行に上下方向に延びる３つの折目（谷折部６ｇ、山折部５ｇ、谷折部６ｈ）が等間隔（２Ｌ（ｍｍ）の間隔）で、且つ上下方向に「２Ｌ（ｍｍ）」の寸法で形成されている。
また、本体部１の上方から６行目には、長辺１ｃ、１ｄと平行に上下方向に延びる３つの折目（山折部５ｈ、谷折部６ｉ、山折部５ｉ）が等間隔（２Ｌ（ｍｍ）の間隔）で、且つ上下方向に「Ｌ（ｍｍ）」の寸法で形成されている。
なお、本実施形態では、上下方向の長さ寸法を「１１Ｌ（ｍｍ）」にしているため、最下段の行にできるマス目の上下方向の長さ寸法が「Ｌ（ｍｍ）」になっているが、これは一例に過ぎない。
【００５５】
このように、本実施形態のエプロンＷは、折り畳み状態から広げて使用する状態にすると、本体部１の左右方向の折目（山折部３ａ、３ｂ、３ｃ、谷折部４ａ、４ｂ）と、本体部１の上下方向の折目（山折部５ａ、５ｂ、５ｃ、５ｄ、５ｅ、５ｆ、５ｇ、５ｈ、５ｉ、谷折部６ａ、６ｂ、６ｃ、６ｄ、６ｅ、６ｆ、６ｇ、６ｈ、６ｉ）とが形成され、この折目により、本体部１に複数の矩形のマス目が形成される。
また、本実施形態のエプロンＷでは、上下方に隣接するマス目の上下方向に延びる折目は、山折部及び谷折部が交互に形成されるようになっている。
【００５６】
この構成により、マス目により、エプロンＷが立体形状に形成されるため、腰紐がない構成を採用しながら、ユーザが着用したときに、ユーザの身体にフイットする。
【００５７】
《エプロンＷの着用方法及び着用状態について》
次に、本実施形態のエプロンＷの着用方法及び着用状態について上述した図１〜４と、図７〜１０を参照しながら説明する。
ここで、図７は、本実施形態のエプロンの着用方法を説明するための模式図であり、（ａ）がフラップ片を本体部の内側に折り込んだ状態を示した模式図であり、（ｂ）がユーザの首に首掛け部をかけている最中の状態を示した模式図である。図８は、本実施形態のエプロンの着用方法を説明するための模式図であり、（ａ）が首掛け部にフラップ片を係止している最中の状態を示した模式図であり、（ｂ）エプロンの着用が完了した状態を示した模式図である。図９は、本実施形態のエプロンを着用した状態を示した模式図であり、エプロンに形成されたマス目による立体形状を説明するための模式図である。図１０は、本実施形態のエプロンを着用した状態を示した模式図であり、ネクタイをしているユーザがエプロンを着用した状態を示した模式図である。
【００５８】
本実施形態のエプロンＷを使用するユーザは、図１、２に示す状態のエプロンＷの本体部１の切断部１１を切り離し、本体部１に、首掛け部２０（図３参照）、開口部２１（図３参照）、及びフラップ片３０（図３、４参照）を形成する。
【００５９】
次に、ユーザは、山折部３ａによりユーザ側に折れ曲がっているフラップ片３０を内側に折り込み、図７（ａ）に示すように、本体部１の裏面を自身に相対向させる。
次に、ユーザは、図７（ｂ）に示すように、切断部１１を切り離して形成した開口部２１に、自身の頭部を通して首掛け部２０を首に掛ける。この状態にすると、本体部１の開口部２１がユーザの首元から胸元の位置に配置される。
なお、フラップ片３０は、上下方向の中間部よりも上方側の位置で、左右方向に平行な谷折部４ａ（図１、２参照）が形成されているため、フラップ片３０の上方側の部分が、前方側に折れ曲がった状態になっている（図４参照）。
【００６０】
次に、ユーザは、図８（ａ）に示すように、首に掛けられたエプロンＷのフラップ片３０の上方側を起こして（立ち上げて）、フラップ片３０の上方側（自由端側）の両端部を外側に引っ張り、フラップ片３０の上方側（自由端側）の両端部を首掛け部２０の裏側に挿入して配置する。
なお、首掛け部２０がユーザの首に掛けられると、エプロンＷが重力により下方向の荷重を受ける。そして、本実施形態のエプロンＷは、「山折部３ａ」及び「一対の斜め切込部１０・１０」が設けられているため、首掛け部２０がユーザの首に掛けられると、下方向の荷重により、首掛け部２０の上方側が、首に掛けられる前の状態と比べて、その左右方向の寸法が狭まって配置される。そのため、フラップ片３０の自由端側の両側を首掛け部２０・上方側の裏側に挿入し配置すると、図８（ｂ）に示すように、フラップ片３０が首掛け部２０に対して交差した状態で係止される。その結果、フラップ片３０がユーザの首元から胸元に配置される開口部２１を覆って（塞いで）、カバーする。
また、本実施形態では、フラップ片３０は、その上方側の部分が、谷折部４ａを介して前方に傾斜している（図４参照）。そのため、ユーザの首に首掛け部２０を掛け、首掛け部２０の裏面に、フラップ片３０の自由端側（上方側）を挿入すると、谷折部４ａにより、首掛け部２０の裏面に向けて、フラップ片３０の自由端側（上方側）が付勢された状態になるため、フラップ片３０が首掛け部２０に安定した状態で係止される。
【００６１】
また、本実施形態のエプロンＷは、図９に示すように、本体部１の左右方向の折目（山折部３ａ、３ｂ、３ｃ、谷折部４ａ、４ｂ）と、本体部１の上下方向の折目（山折部５ａ、５ｂ、５ｃ、５ｄ、５ｅ、５ｆ、５ｇ、５ｈ、５ｉ、谷折部６ａ、６ｂ、６ｃ、６ｄ、６ｅ、６ｆ、６ｇ、６ｈ、６ｉ）とにより、本体部１の全域にわたって複数の矩形のマス目が形成された立体形状になっている。そのため、本実施形態のエプロンＷは、腰紐を設けていない構成でありながら、図９に示すように、ユーザの身体の形状にフィットする。
【００６２】
さらに、本実施形態のエプロンＷは、フラップ片３０の上辺部３１の中心部に凹部３１ａが設けられ、その左右方向の中心位置に下方に向けて延びる上下スリット３２を形成している。また、フラップ片３０には、上下スリット３２の一端部から、凹部３１ａの左右の両外側の部分に向けて略V字状の山折部３３が形成されている。
この構成により、図１０に示すように、ネクタイをしているユーザがエプロンWを着用しても、エプロンＷにより、ユーザの首元にあるネクタイの結び目部分が締め付けられることがなく、快適に着用できる。
【００６３】
以上、説明したように、本実施形態によれば、着用し易い構成でありながら、胸元及びその近傍部分をカバーできると共に、身体にフィットするエプロンを提供することができる。
【００６４】
なお、本発明は、上述した実施形態に限定されるものではなく、その要旨の範囲内において種々の変更が可能である。
【００６５】
例えば、上述した実施形態では、エプロンＷがストーンペーパで形成されているが特にこれに限定されるものでない。エプロンＷが、ストーンペーパ以外の材料（例えば、紙、不識布）で形成されていても良い。
【００６６】
また、上述した実施形態では、エプロンＷの本体部１は、略長方形のシート状に形成されているが特にこれに限定されるものではない。例えば、本体部１が、上下方向に長い楕円のシート状や、レーストラック形のシート状に形成されていても良い。
【００６７】
また、例えば、上述した実施形態では、使用前のエプロンＷは、首掛け部２０の内側部分に、首掛け部２０に対して切り離し可能に接続されたフラップ片３０が形成されているが、特にこれに限定されるものではない。初めから、首掛け部２０に対して、フラップ片３０が切り離された状態になっていても良い。この場合は、以下のように構成されている。
【００６８】
具体的には、本体部１の山折部３ａよりも上方側の領域Ｅ１は、その外周縁部に略コの字状の首掛け部２０が形成され、首掛け部２０の内側部分に略逆台形の開口部２１ａが形成されている。また、本体部１の山折部３ａよりも上方側の領域Ｅ１には、山折部３aを基端にして、開口部２１を開閉可能で且つ開口部２１を塞ぐ方向に折れ曲がる略逆台形のフラップ片３０が形成されている。
なお、首掛け部２０及びフラップ片３０は、本体部１の山折部３ａよりも上方側の領域Ｅ１において、山折部３ａのなかの、左右方向の中心よりも長辺１ｃ、１ｄ寄りの位置を起点として、それぞれ、上方・外側に向けて延設された「一対の斜め切込部１０・１０」と、「一方の斜め切込部１０の上端部と他方の斜め切込部１０の上端部とを繋ぐ略逆台形状のスリット」とにより区分け（分割）されている。
【００６９】
また、上述した実施形態では、開口部２１及びフラップ片３０が略逆台形状に形成されているが特にこれに限定されるものではない。山折部３ａの位置を起点にしたスリット１０・１０を設けていれば、例えば、切断部１１が長方形状に形成されていても良い。
【００７０】
また、上述した実施形態の図５では、本体部１を上下方向に３つ折りにし、３つ折りした状態の本体部１を上下方向に半分に折り曲げて帯状態にし、帯状態にした本体部１を左右方向に蛇腹折りにすることにより略正方形状に折り畳まれた折畳み状態にする例を示しているが、この折畳み方法は、あくまでも一例に過ぎない。例えば、本体部１を上下方向に蛇腹折りにすることで帯状体にして、その帯状態にした本体部１を左右方向に蛇腹折りにすることにより折畳み状態を形成するようにしても良い。
また、図５では、折畳み状態として、略正方形状を示しているが、これは一例に過ぎない。例えば、折畳み状態が略長方形等の正方形以外の矩形や略三角形などの正方形以外の形状であっても良い。
【００７１】
Ｗ…エプロン
１…本体部
１ａ、１ｂ…短辺、
１ｃ、１ｄ…長辺
３a、３ｂ、３ｃ…山折部
４a、４ｂ…谷折部
１０…斜め切込部
１０ａ…丸孔
１１…切断部
１１ａ…第1斜辺部
１１ｂ…第１ラウンド部
１１ｃ…水平辺部
１１ｄ…第２ラウンド部
１１ｅ…第２斜辺部
１２ａ、１２ｂ、１２ｃ、１２ｄ、１２e、１２ｆ、１２ｇ、１２ｈ、１２ｉ、１２ｊ、１２ｋ…接続部
２０…首掛け部
３０…フラップ片
３１…上辺部
３１ａ…凹部
３２…上下スリット
３２ａ…丸孔
３３…山折部
【図１】
2020147855.tif 000003
【図２】
2020147855.tif 000004
【図３】
2020147855.tif 000005
【図４】
2020147855.tif 000006
【図５】
2020147855.tif 000007
【図６】
2020147855.tif 000008
【図７】
2020147855.tif 000009
【図８】
2020147855.tif 000010
【図９】
2020147855.tif 000011
【図１０】
2020147855.tif 000012
【図１１】
2020147855.tif 000013
【図１２】
2020147855.tif 000014